(57)【特許請求の範囲】
【請求項１】
ＬＥＤからの光出力の１以上の特性を制御する方法であって、
第１ユーザインターフェース部を介して、光発生源領域を示す光発生源入力を受信するステップと、
前記光発生源入力に基づいて、前記光発生源領域における１以上のＬＥＤを識別するステップと、
第２ユーザインターフェース部を介して、光目標領域を示す光目標入力を受信するステップと、
前記光発生源領域からの前記光目標領域の照明を達成するために、前記光発生源領域における前記識別された１以上のＬＥＤに関係する１以上の制御パラメータを前記光目標入力に基づいて決定するステップと、
前記１以上の制御パラメータを実行させるステップと、
を有する、方法。
【請求項２】
前記第１ユーザインターフェース部が第１面上にあり、前記第２ユーザインターフェース部が前記第１面とは異なる第２面上にある、請求項１に記載の方法。
【請求項３】
前記第１ユーザインターフェース部がモバイル計算装置の第１面上にあり、前記第２ユーザインターフェース部が該モバイル計算装置の第２面上にある、請求項２に記載の方法。
【請求項４】
前記第１ユーザインターフェース部が第１面上にあり、前記第２ユーザインターフェース部が該第１面の固有の部分上にある、請求項１に記載の方法。
【請求項５】
前記第１ユーザインターフェース部が前記１以上のＬＥＤを支持する構造体上にある、請求項１に記載の方法。
【請求項６】
前記光発生源入力を受信するステップが、
前記光発生源領域におけるＬＥＤの少なくとも１つが少なくとも部分的に覆われていることを示すデータを受信するステップ、
を含む、請求項１に記載の方法。
【請求項７】
前記１以上の制御パラメータを実行させるステップが、
前記光発生源領域における１以上のＬＥＤのうちの何れを活性化すべきかを決定するステップ、
を含む、請求項１に記載の方法。
【請求項８】
モバイル計算装置との接続を確立するステップを更に有し、前記光発生源入力及び前記光目標入力が前記モバイル計算装置との該接続を介して受信される、請求項１に記載の方法。
【請求項９】
前記第２ユーザインターフェース部を介して、前記光目標領域の修正及び前記光目標領域に供給される照明の修正の少なくとも一方を示す光目標入力微調整情報を受信するステップと、
前記光目標入力微調整情報に基づいて、前記光発生源領域における前記識別された１以上のＬＥＤに関する１以上の微調整された制御パラメータを決定するステップと、
前記１以上の微調整された制御パラメータを実行させるステップと、
を更に有する、請求項１に記載の方法。
【請求項１０】
前記光目標入力微調整情報は前記光目標領域の修正された領域への修正を示し、該修正された領域の前記光発生源領域からの照明を行うために前記１以上の微調整された制御パラメータが決定される、請求項９に記載の方法。
【請求項１１】
前記光目標入力微調整情報は、前記光目標領域に供給される照明の、カラーの変更、色温度の変更及び輝度の変更のうちの少なくとも１つによる修正を示し、前記照明の前記カラーの変更、色温度の変更及び輝度の変更のうちの少なくとも１つを行うために前記１以上の微調整された制御パラメータが決定される、請求項９に記載の方法。
【請求項１２】
前記光発生源入力が前記光目標入力より前に受信され、当該方法が、
前記光目標入力を受信する前に可能性のある光目標領域の視覚的指示情報を提供するステップ、
を更に有する、請求項１に記載の方法。
【請求項１３】
前記光目標入力が前記光発生源入力より前に受信され、当該方法が、
前記光発生源入力を受信する前に、可能性のある光発生源領域の視覚的指示情報を提供するステップ、
を更に有する、請求項１に記載の方法。
【請求項１４】
メモリと、該メモリに記憶された命令を実行するコントローラとを有する照明装置であって、前記命令が、
第１ユーザインターフェース部を介して、光発生源領域を示す光発生源入力を受信する命令と、
前記光発生源入力に基づいて、前記光発生源領域における１以上のＬＥＤを識別する命令と、
第２ユーザインターフェース部を介して、光目標領域を示す光目標入力を受信する命令と、
前記光発生源領域からの前記光目標領域の照明を達成するために、前記光発生源領域における前記識別された１以上のＬＥＤに関係する１以上の制御パラメータを前記光目標入力に基づいて決定する命令と、
前記１以上の制御パラメータを実行させる命令と、
を含む、照明装置。
【請求項１５】
複数のＬＥＤと、
前記ＬＥＤと電気的に通信する少なくとも１つのコントローラと、
を有する照明システムであって、前記少なくとも１つのコントローラが、
第１ユーザインターフェース部を介して、光発生源領域を示す光発生源入力を受信し、
前記光発生源入力に基づいて、前記光発生源領域における１以上のＬＥＤを識別し、
第２ユーザインターフェース部を介して、光目標領域を示す光目標入力を受信し、
前記光発生源領域からの前記光目標領域の照明を達成するために、前記光発生源領域における前記識別された１以上のＬＥＤに関係する１以上の制御パラメータを前記光目標入力に基づいて決定し、
前記１以上の制御パラメータを実行させる、
照明システム。
【発明の詳細な説明】
【技術分野】
【０００１】
［０００１］本発明は、広くは照明の制御に関する。更に詳細には、ここに開示される本発明の種々の方法及び装置は、光出力の１以上の特性を光発生源入力及び光目標入力に基づいて制御することに関する。
【背景技術】
【０００２】
［０００２］デジタル照明技術、即ち発光ダイオード（ＬＥＤ）等の半導体光源に基づく照明は、伝統的な蛍光灯、ＨＩＤ及び白熱電球に対する発展性のある代替品を提供している。ＬＥＤの機能的利点及び利益は、高いエネルギ変換及び光学効率、耐久性、低運転コスト並びに多くの他のものを含む。ＬＥＤ技術における近年の進歩は、多くの用途において種々の照明効果を可能にするような効率的且つ丈夫な全スペクトル光源を提供している。
【０００３】
［０００３］ＬＥＤ型光源を含むシステムのような照明システムにおいては、当該照明システムの１以上の光源に対して効果的な制御を有することが望ましい。例えば、複数の光源のうちの何れが点灯されるかを制御する、及び／又は斯かる光源の１以上における１以上の照明パラメータを制御することが望ましいであろう。例えば、斯かる光源のうちの１以上のカラー、色温度、強度（輝度）、ビーム幅、ビーム方向、照明強度及び／又は他のパラメータを制御することが望ましいであろう。
【０００４】
［０００４］１以上の光源の構成（configuration）の間における直接的指定は、照明パラメータの指定を可能にする。しかしながら、直接的指定は、適用される照明を精細に調整する能力の不足、新たに導入される環境的物体及び／又は既存の物体の移動に適合する柔軟性の欠如、及び／又は固有の物体に対する調整及び／又は照明パラメータの入念調整の不足等の１以上の欠点を被り得る。主電源に接続された制御スイッチも、１以上の光源の制御を可能にし得る。しかしながら、このような制御スイッチは、該制御スイッチを何処に設置することができるかに対して制約を課し得る、上記主電源に対して接続を要するというような１以上の不利益を被り得る。直接的指定、制御スイッチ及び／又は他の技術の更なる及び／又は他の欠点を提示することもできる。
【発明の概要】
【発明が解決しようとする課題】
【０００５】
［０００５］従って、当業技術においては、光出力の１以上の特性の制御を可能にすると共に、オプションとして既存の装置及び／又は方法の１以上の欠点も克服するような方法及び装置を提供することの必要性が存在する。  
【課題を解決するための手段】
【０００６】
［０００６］本開示は照明の制御に関するものである。更に詳細には、ここに開示される種々の発明的方法及び装置は、光出力の１以上の特性を、１以上のユーザインターフェースを介して受信される光発生源入力及び光目標入力に基づいて制御することに関するものである。例えば、幾つかの実施態様においては、光発生源入力及び光目標入力を、該光目標入力により示される光目標領域の照明を行うための１以上のＬＥＤの１以上の制御パラメータを決定するために使用することができ、その場合において、該照明は上記光発生源入力により示される光発生源領域からのものとする。このように、ここに開示される装置及び方法は、光目標領域において照明効果を達成するために用いることができ、該照明効果は所望の方向から発するようにする。
【０００７】
［０００７］一態様において、本発明は広くはＬＥＤからの光出力の１以上の特性を制御する方法に関するもので、該方法は、第１ユーザインターフェース部を介して、光発生源領域を示す光発生源入力を受信するステップと；前記光発生源入力に基づいて、前記光発生源領域における１以上のＬＥＤを識別するステップと；第２ユーザインターフェース部を介して、光目標領域を示す光目標入力を受信するステップと；前記光発生源領域からの前記光目標領域の照明を達成するために、前記光発生源領域における前記識別された１以上のＬＥＤに関係する１以上の制御パラメータを前記光目標入力に基づいて決定するステップと；前記１以上の制御パラメータを実行させるステップと；を含む。
【０００８】
［０００８］幾つかの実施態様において、前記第１ユーザインターフェース部は第１面上にあり、前記第２ユーザインターフェース部は前記第１面とは異なる第２面上にある。これらの実施態様の幾つかの変形例において、前記第１ユーザインターフェース部はモバイル計算装置の第１面上にあり、前記第２ユーザインターフェース部は該モバイル計算装置の第２面上にある。
【０００９】
［０００９］幾つかの実施態様において、前記第１ユーザインターフェース部は第１面上にあり、前記第２ユーザインターフェース部は該第１面の固有の部分上にある。
【００１０】
［００１０］幾つかの実施態様において、前記第１ユーザインターフェース部は前記１以上のＬＥＤを支持する構造体上にある。
【００１１】
［００１１］幾つかの実施態様において、前記光発生源入力を受信するステップは、前記光発生源領域におけるＬＥＤの少なくとも１つが少なくとも部分的に覆われていることを示すデータを受信するステップを含む。
【００１２】
［００１２］幾つかの実施態様において、前記１以上の制御パラメータを実行させるステップは、前記光発生源領域における１以上のＬＥＤのうちの何れを活性化すべきかを決定するステップを含む。
【００１３】
［００１３］幾つかの実施態様において、当該方法は、モバイル計算装置との接続を確立するステップを更に含み、前記光発生源入力及び前記光目標入力は前記モバイル計算装置との該接続を介して受信される。これら実施態様の幾つかの変形例において、当該方法は前記モバイル計算装置に複数の可能性のある光発生源入力に関する情報を供給するステップを更に含み、該可能性のある光発生源入力は前記受信される光発生源入力を含む。
【００１４】
［００１４］幾つかの実施態様において、当該方法は、前記第２ユーザインターフェース部を介して、前記光目標領域の修正及び前記光目標領域に供給される照明の修正の少なくとも一方を示す光目標入力微調整情報を受信するステップと；該光目標入力微調整情報に基づいて、前記光発生源領域における前記識別された１以上のＬＥＤに関する１以上の微調整された制御パラメータを決定するステップと；該１以上の微調整された制御パラメータを実行させるステップと；を更に含む。これら実施態様の幾つかの変形例において、前記光目標入力微調整情報は前記光目標領域の修正された領域への修正を示し、該修正された領域の前記光発生源領域からの照明を行うために前記１以上の微調整された制御パラメータが決定される。これら実施態様の幾つかの変形例において、前記光目標入力微調整情報は、前記光目標領域に供給される照明の、カラーの変更、色温度の変更及び輝度の変更のうちの少なくとも１つによる修正を示し、前記照明の前記カラーの変更、色温度の変更及び輝度の変更のうちの少なくとも１つを行うために前記１以上の微調整された制御パラメータが決定される。
【００１５】
［００１５］幾つかの実施態様において、前記光発生源入力は前記光目標入力より前に受信され、当該方法は、前記光目標入力を受信する前に可能性のある光目標領域の視覚的指示情報を提供するステップを更に含む。これら実施態様の幾つかの変形例において、前記光目標入力を受信する前に可能性のある光目標領域の視覚的指示情報を提供するステップは、前記第２ユーザインターフェース部上で該視覚的指示情報を提供するステップを含む。これら実施態様の幾つかの変形例において、前記光目標入力を受信する前に可能性のある光目標領域の視覚的指示情報を提供するステップは、複数の空間的に区別可能な光出力を供給するステップを含み、前記光目標入力を受信するステップは、これら光出力の１以上の選択情報を受信するステップを含む。
【００１６】
［００１６］幾つかの実施態様において、前記光目標入力は前記光発生源入力より前に受信され、当該方法は、前記光発生源入力を受信する前に可能性のある光発生源領域の視覚的指示情報を提供するステップを更に含む。
【００１７】
［００１７］他の態様において、本発明は、メモリと、該メモリに記憶された命令を実行するように動作するコントローラとを含む照明装置に関するものである。上記命令は、第１ユーザインターフェース部を介して、光発生源領域を示す光発生源入力を受信する命令と；該光発生源入力に基づいて、前記光発生源領域における１以上のＬＥＤを識別する命令と；第２ユーザインターフェース部を介して、光目標領域を示す光目標入力を受信する命令と；前記光発生源領域からの前記光目標領域の照明を達成するために、前記光発生源領域における前記識別された１以上のＬＥＤに関係する１以上の制御パラメータを前記光目標入力に基づいて決定する命令と；該１以上の制御パラメータを実行させる命令と；を含む。
【００１８】
［００１８］他の態様において、本発明は、複数のＬＥＤと、これらＬＥＤと電気的に通信する少なくとも１つのコントローラとを有する照明システムに関するものである。上記少なくとも１つのコントローラは、第１ユーザインターフェース部を介して、光発生源領域を示す光発生源入力を受信し；該光発生源入力に基づいて、前記光発生源領域における１以上のＬＥＤを識別し；第２ユーザインターフェース部を介して、光目標領域を示す光目標入力を受信し；前記光発生源領域からの前記光目標領域の照明を達成するために、前記光発生源領域における前記識別された１以上のＬＥＤに関係する１以上の制御パラメータを前記光目標入力に基づいて決定し；該１以上の制御パラメータを実行させる。
【００１９】
［００１９］他の実施態様は、ここに記載した上記方法の１以上等の方法を実行するためにプロセッサにより実行することが可能な命令を記憶した非一時的コンピュータ読取可能な記憶媒体を含むことができる。更に他の実施態様は、メモリと、ここに記載した前記方法の１以上等の方法を実施するために該メモリに記憶された命令を実行するように動作する１以上のプロセッサとを有するシステムを含むことができる。
【００２０】
［００２０］本開示の目的のために本明細書で使用される場合、“ＬＥＤ”なる用語は、如何なる発光（エレクトロルミネッセント）ダイオード、又は電気信号に応答して放射を発生し及び／又はフォトダイオードとして動作することが可能な他のタイプの電荷注入／接合型システムをも含むものと理解されるべきである。従って、ＬＥＤなる用語は、これらに限定されるものではないが、電流に応答して光を放出する種々の半導体型構造体、発光ポリマ、有機発光ダイオード（ＯＬＥＤ）、エレクトロルミネッセント・ストリップ等を含む。特に、ＬＥＤなる用語は、赤外スペクトル、紫外スペクトル及び可視スペクトルの種々の部分（通常、約４００ナノメートルから約７００ナノメートルまでの放射波長を含む）の１以上において放射を発生するように構成することができる全てのタイプの発光ダイオード（半導体及び有機発光ダイオードを含む）を指す。ＬＥＤの幾つかの例は、これらに限定されるものではないが、種々のタイプの赤外ＬＥＤ、紫外ＬＥＤ、赤色ＬＥＤ、青色ＬＥＤ、緑色ＬＥＤ、黄色ＬＥＤ、琥珀色ＬＥＤ、橙色ＬＥＤ及び白色ＬＥＤを含む（後に更に説明する）。また、ＬＥＤは所与のスペクトルに対して種々の（例えば、狭い帯域幅、広い帯域幅）帯域幅（例えば、半値全幅又はＦＷＨＭ）及び所与の一般色分類内で種々の優勢波長を持つ放射を発生するよう構成及び／又は制御することができると理解されるべきである。
【００２１】
［００２１］例えば、実質的に白色光を発生するように構成されたＬＥＤ（例えば、白色ＬＥＤ）の一構成例は、組み合わせで実質的に白色光を形成するように混ざり合うような、異なるスペクトルのエレクトロルミネッセンスを各々放出する複数のダイを含むことができる。他の構成例では、白色光ＬＥＤは、第１スペクトルを持つエレクトロルミネッセンスを別の第２のスペクトルに変換する蛍光体材料に関連され得る。この構成の一例において、相対的に短い波長及び狭い帯域幅のスペクトルを持つエレクトロルミネッセンスは上記蛍光体材料を“ポンピング”し、該蛍光体材料は幾らか広いスペクトルを持つ一層長い波長の放射を放出する。
【００２２】
［００２２］また、ＬＥＤなる用語はＬＥＤの物理的及び／又は電気的パッケージのタイプを限定するものではないと理解されるべきである。例えば、ＬＥＤは、前述したように異なるスペクトルの放射を各々放出するように構成された複数のダイ（例えば、個別に制御することが可能であるか又は可能でない）を有する単一の発光デバイスを指し得る。また、ＬＥＤは、当該ＬＥＤの一体部分と見なされる蛍光体と関連され得る（例えば、幾つかのタイプの白色ＬＥＤ）。
【００２３】
［００２３］“光源”なる用語は、これらに限定されるものではないが、ＬＥＤ型光源（先に定義したような1以上のＬＥＤを含む）を含む種々の放射光源の何れか1以上を指すと理解されたい。
【００２４】
［００２４］所与の光源は、可視スペクトル内、可視スペクトル外又はこれら両方の組み合わせで電磁放射を発生するように構成することができる。従って、“光”及び“放射”なる用語は、ここでは入れ替え可能に使用される。更に、光源は、一体部品として、1以上のフィルタ（例えば、カラーフィルタ）、レンズ又は他の光学部品を含むことができる。また、光源は、これらに限定されるものではないが指示、表示及び／又は照明を含む種々の用途のために構成することができると理解されるべきである。“照明光源”は、内部又は外部空間を効果的に照明するために十分な輝度（強度）を持つ放射を発生するように特別に構成された光源である。この点において、“十分な輝度”とは、周囲照明（即ち、間接的に知覚され得ると共に、例えば全体的に又は部分的に知覚される前に1以上の種々の介在表面から反射され得る光）を形成するために空間又は環境において発生される可視スペクトルにおける十分な放射パワーを指す（放射パワー又は“光束”に関しては、しばしば、“ルーメン”なる単位が光源から全方向への全光出力を表すために使用される）。
【００２５】
［００２５］“スペクトル”なる用語は、１以上の光源により生成される放射の何れか１以上の周波数（又は波長）を指すものと理解されたい。従って、“スペクトル”なる用語は、可視範囲における周波数（又は波長）のみならず、赤外、紫外及び全体の電磁スペクトルの他の領域における周波数（又は波長）をも指す。また、或るスペクトルは、相対的に狭い帯域幅（例えば、実質的に僅かな周波数又は波長成分しか有さないＦＷＨＭ）又は相対的に広い帯域幅（種々の相対強度を持つ幾つかの周波数又は波長成分）を有することができる。また、或るスペクトルは２以上の他のスペクトルの混合（例えば、複数の光源から各々放出された放射の混合）の結果であり得ると理解されたい。
【００２６】
［００２６］本開示の目的のため、“カラー（色）”なる用語は、“スペクトル”なる用語と互換可能に使用されている。しかしながら、“カラー（色）”なる用語は、一般的に、観察者により知覚可能である放射の特性を主に指すために使用される（もっとも、この用い方は、この用語の範囲を限定する意図でない）。従って、“異なるカラー”なる用語は、異なる波長成分及び／又は帯域幅を持つ複数のスペクトルを黙示的に示す。また、“カラー（色）”なる用語は、白色及び非白色光の両方との関連で使用することもできると理解されたい。
【００２７】
［００２７］“照明固定具（照明器具）”なる用語は、ここでは、特定のフォームファクタ、アセンブリ若しくはパッケージでの１以上の照明ユニットの構成又は配置を指すために使用されている。“照明ユニット”なる用語は、ここでは、同一又は異なるタイプの１以上の光源を含む装置を指すために使用されている。所与の照明ユニットは、光源（又は複数の光源）のための種々の取付配置、エンクロージャ／ハウジング配置及び形状、並びに／又は電気的及び機械的接続構造の何れかを有することができる。更に、所与の照明ユニットは、オプションとして、当該光源（又は複数の光源）の動作に関係する種々の他の部品（例えば、制御回路）に関連され得る（例えば、含む、結合される及び／又は一緒にパッケージ化される）。“ＬＥＤ照明ユニット”とは、上述したような１以上のＬＥＤ型光源を単独で又は他の非ＬＥＤ型光源との組み合わせで含む照明ユニットを指す。“多チャンネル”照明ユニットとは、異なるスペクトルの放射を各々発生するように構成された少なくとも２つの光源を含むＬＥＤの又は非ＬＥＤの照明ユニットを指し、上記異なる光源スペクトルの各々を当該多チャンネル照明ユニットの“チャンネル”と称することができる。
【００２８】
［００２８］“コントローラ”なる用語は、ここでは、1以上の光源の動作に関係する種々の装置を広く記述するために使用されている。コントローラは、ここで述べる種々の機能を果たすために、多数の形態で（例えば、専用のハードウェアによる等）実施化することができる。“プロセッサ”は、ここで述べる種々の機能を実行するために、ソフトウェア（例えば、マイクロコード）を用いてプログラムすることができる１以上のマイクロプロセッサを使用するコントローラの一例である。コントローラは、プロセッサを使用するか又は使用しないで実施化することができ、幾つかの機能を実行するための専用のハードウェアと、他の機能を実行するためのプロセッサ（例えば、1以上のプログラムされたマイクロプロセッサ及び関連する回路）との組み合わせとして実施化することもできる。本開示の種々の実施態様で使用することが可能なコントローラ部品の例は、これらに限定されるものではないが、通常のマイクロプロセッサ、特定用途向け集積回路（ＡＳＩＣ）及びフィールド・プログラマブル・ゲート・アレイ（ＦＰＧＡ）を含む。
【００２９】
［００２９］種々の構成において、プロセッサ又はコントローラは１以上の記憶媒体（例えばＲＡＭ、ＰＲＯＭ、EPROM及びEEPROM等の揮発性及び不揮発性コンピュータメモリ、フロッピー（登録商標）ディスク、コンパクトディスク、光ディスク又は磁気テープ等であり、ここでは広く“メモリ”と称する）に関連され得る。幾つかの構成例において、上記記憶媒体は、１以上のプロセッサ及び／又はコントローラ上で実行された場合に本明細書で述べる機能の少なくとも幾つかを実行する1以上のプログラムによりコード化することができる。種々の記憶媒体は、当該記憶媒体上に記憶された1以上のプログラムをプロセッサ又はコントローラにロードして、ここで述べる本発明の種々の態様を実施することができるように、プロセッサ若しくはコントローラ内に固定され又は移送可能なものとすることができる。“プログラム”又は“コンピュータプログラム”なる用語は、ここでは、1以上のプロセッサ又はコントローラをプログラムするために使用することが可能な如何なるタイプのコンピュータコード（例えば、ソフトウェア又はマイクロコード）をも示すように汎用的な意味で使用されている。
【００３０】
［００３０］“アドレス指定可能”なる用語は、本明細書では、（自身を含む）複数の装置を意図する情報（例えば、データ）を受信すると共に、当該装置を意図する特定の情報に選択的に応答するように構成された装置（例えば、光源全般、照明ユニット又は照明器具、１以上の光源又は照明ユニットに関連するコントローラ又はプロセッサ、他の非照明関連装置等）を指すために使用されている。“アドレス指定可能”なる用語は、しばしば、複数の装置が何らかの通信媒体を介して一緒に結合されたネットワーク化環境（又は“ネットワーク”、更に後述する）に関連して使用される。
【００３１】
［００３１］一ネットワーク構成例において、ネットワークに結合された１以上の装置は、該ネットワークに結合された１以上の他の装置に対するコントローラとして働く（例えば、マスタ／スレーブ関係で）。他の構成例において、ネットワーク環境は、当該ネットワークに結合された装置の１以上を制御するように構成された１以上の専用のコントローラを含むことができる。一般的に、当該ネットワークに結合された複数の装置は、各々、当該通信媒体上に存在するデータにアクセスすることができる。しかしながら、所与の装置は、当該ネットワークに対し、例えば自身に割り当てられた１以上の特定の識別子（例えば、“アドレス”）に基づいてデータを選択的に交換する（即ち、データを受信し及び／又はデータを送信する）ことができるという点で“アドレス指定可能”であり得る。
【００３２】
［００３２］ここで使用される“ネットワーク”なる用語は、２以上の装置（コントローラ又はプロセッサを含む）間の相互接続であって、何れかの２以上の装置の間の、及び／又は当該ネットワークに結合された複数の装置の間での情報（例えば、装置制御、データ記憶、データ交換等のための）の伝送を容易にする任意の相互接続を指すものである。容易に理解されるように、複数の装置を相互接続するのに適したネットワークの種々の構成は、種々のネットワークトポロジの何れかを含むと共に、種々の通信プロトコルの何れかを使用することができる。更に、本開示による種々のネットワークにおいて、２つの装置の間の何れか１つの接続は、２つのシステムの間の専用の接続を表すことができ、又は代わりに非専用接続を表すこともできる。当該２つの装置のための情報を伝送することに加えて、このような非専用接続は、必ずしも上記２つの装置のいずれかのためのものでもない情報を伝送することができる（例えば、開放型ネットワーク接続）。更に、ここで述べる装置の種々のネットワークが、当該ネットワーク全体を介しての情報伝送を容易化するために1以上の無線、有線／ケーブル及び／又は光ファイバリンクを使用することができることは容易に理解されよう。
【００３３】
［００３３］ここで使用される“ユーザインターフェース”なる用語は、人のユーザ又は操作者と１以上の装置との間のインターフェースであって、ユーザと装置との間の通信を可能にするインターフェースを指す。本開示の種々の実施態様において使用することができるユーザインターフェースの例は、これらに限定されるものではないが、スイッチ、ポテンショメータ、釦、ダイヤル、スライダ、マウス、キーボード、キーパッド、種々のタイプのゲームコントローラ（例えば、ジョイスティック）、トラックボール、表示スクリーン、種々のタイプのグラフィックユーザインターフェース（ＧＵＩ）、タッチスクリーン、マイクロフォン及び何らかの形態の人により発生された刺激を受け、これに応答して信号を発生することができる他のタイプのセンサを含む。
【００３４】
［００３４］上述した概念及び後に詳述する追加の概念の全ての組み合わせ（斯かる概念が互いに矛楯しない限り）は、ここに開示される本発明の主題の一部であると意図されることが理解されるべきである。特に、この開示の最後に現れる請求項に記載の主題の全ての組み合わせは、ここに開示される本発明の主題の一部であると意図される。また、参照により本明細書に組み込まれる何れかの文献にも現れる、ここで明示的に使用される用語は、ここに開示される特定の概念と最も一貫性のある意味が付与されるべきであると理解されるべきである。
【００３５】
［００３５］尚、図面において同様の符号は、異なる図を通して、同様の部分を概して示している。また、各図は必ずしも寸法通りではなく、代わりに本発明の原理を解説するに当たり概して誇張されている。
【図面の簡単な説明】
【００３６】
【図１】図１は、コントローラ、ＬＥＤ照明ユニット、第１ユーザインターフェース部及び第２ユーザインターフェース部を有するＬＥＤ照明システムの一実施態様のブロック図を示す。
【図２】図２は、光発生源入力及び光目標入力を使用して１以上のＬＥＤを制御する例示的方法のフローチャートを示す。
【図３Ａ】図３Ａは、接触感知性光目標構造体の或る領域の所望の照明を達成するための接触感知性発光構造体の第１ユーザインターフェース部によるユーザ対話及び接触感知性光目標構造体の第２ユーザインターフェース部によるユーザ対話の一例を示す。
【図３Ｂ】図３Ｂは、接触感知性光目標構造体の或る領域の所望の照明を達成するための接触感知性発光構造体の第１ユーザインターフェース部によるユーザ対話及び接触感知性光目標構造体の第２ユーザインターフェース部によるユーザ対話の他の例を示す。
【図３Ｃ】図３Ｃは、目標構造体の或る領域の所望の照明を達成するための接触感知性発光構造体の第１ユーザインターフェース部及び該接触感知性発光造体の第２ユーザインターフェース部によるユーザ対話の一例を示す。
【図４】図４は、ＬＥＤの表面とのユーザが開始した接触を感知するために幾つかの実施態様において使用することができるＬＥＤの表面の一部の分解斜視図を示す。
【図５Ａ】図５Ａは、目標構造体の或る領域の所望の照明を達成するための、モバイル計算装置の第１面上の第１ユーザインターフェース部によるユーザ対話及び該モバイル計算装置の第２面上の第２ユーザインターフェース部によるユーザ対話の一例を示す。
【図５Ｂ】図５Ｂは、目標構造体の或る領域の所望の照明を達成するための、モバイル計算装置の第１面上の第１ユーザインターフェース部によるユーザ対話及び該モバイル計算装置の第２面上の第２ユーザインターフェース部によるユーザ対話の一例を示す。
【図６Ａ】図６Ａは、目標構造体の或る領域の所望の照明を達成するための、モバイル計算装置の第１面上の第１ユーザインターフェース部によるユーザ対話及び該モバイル計算装置の第２面上の第２ユーザインターフェース部によるユーザ対話の他の例を示す。
【図６Ｂ】図６Ｂは、目標構造体の或る領域の所望の照明を達成するための、モバイル計算装置の第１面上の第１ユーザインターフェース部によるユーザ対話及び該モバイル計算装置の第２面上の第２ユーザインターフェース部によるユーザ対話の他の例を示す。
【図７】図７は、目標構造体の或る領域の所望の照明を達成するための、モバイル計算装置の第１面上の第１ユーザインターフェース部によるユーザ対話及び目標構造体上の第２ユーザインターフェース部によるユーザ対話の一例を示す。
【図８】図８は、光発生源入力及び光目標入力を使用して１以上のＬＥＤを制御する他の例示的方法のフローチャートを示す。
【発明を実施するための形態】
【００３７】
［００４６］ＬＥＤ型光源を含むもののような照明システムでは、当該照明システムの１以上の光源に対する制御を有することが望ましい。例えば、斯かる光源の１以上のカラー（色）、色温度、輝度（強度）、ビーム幅、ビーム方向、照明強度及び／又は他のパラメータを制御することが望ましいであろう。１以上の光源の構成の間における直接指定及び／又は主電源に接続された制御スイッチは、各々、１以上の照明パラメータの指定を可能にする。しかしながら、直接指定は、適用される照明を微調整する能力の不足、柔軟性の欠如及び／又は照明パラメータの調整の不足等の１以上の欠点を被り得る。また、制御スイッチも主電源への接続を要する等の１以上の欠点を被り得る。
【００３８】
［００４７］このように、出願人は、光出力の１以上の特性を光発生源入力及び光目標入力に基づいて制御することを可能にすると共に、オプションとして既存の装置及び／又は方法の１以上の欠点を克服するような種々の発明的方法及び装置を提供することが有益であることを認識及び理解した。
【００３９】
［００４８］もっと一般的に言うと、出願人は、光出力の１以上の特性の使い易く且つ効率的な制御を可能にする種々の発明的方法及び装置を提供することが有益であろうことを認識及び理解した。
【００４０】
［００４９］上記に鑑みて、本発明の種々の実施態様及び構成は照明の制御に向けられたものである。
【００４１】
［００５０］以下の詳細な説明においては、限定ではなく説明の目的で、請求項に記載の本発明の完全な理解を提供するために固有な細部を開示する代表的実施態様が記載される。しかしながら、本開示の利益を受けた当業者にとり、ここに開示される固有の細部からは外れた本教示による他の実施態様も添付請求項の範囲内に入ることは明らかであろう。更に、良く知られた装置及び方法の説明は、斯かる代表的実施態様の説明を不明瞭にしないように省略され得るものである。このような方法及び装置も、請求項に記載の本発明の範囲内であることは明らかである。例えば、ここに開示される方法及び装置の各態様は、ＬＥＤ型光源のみを有する照明システムに関連して説明されている。しかしながら、ここに記載される方法及び装置の１以上の態様は、付加的に及び／又は代替的に他の非ＬＥＤ光源を含む他の照明システムにおいても実施化することができる。ここに記載される該１以上の態様の、他の構成環境における実施化も、請求項に記載の本発明の範囲及び趣旨から逸脱せずに考えられる。また、例えば、ここに開示される方法及び装置の各態様は、単一のコントローラ及び単一の照明ユニットに関連して説明されている。しかしながら、ここに記載される方法及び装置の１以上の態様は、複数のコントローラ及び／又は複数の照明ユニットを含み得る他の照明システムにおいても実施化することができる。
【００４２】
［００５１］図１は、ＬＥＤ照明システムの一実施態様１００のブロック図を示している。照明システム１００は、少なくとも１つのＬＥＤ照明ユニット１３０の１以上の光出力特性を制御するコントローラ１２０を含んでいる。ＬＥＤ照明ユニット１３０は光出力を発生するように構成された１以上のＬＥＤ１３２を含む。ここで説明されるように、照明コントローラ１２０はＬＥＤ１３２及び／又は該ＬＥＤ１３２に関連する１以上の光学エレメントを第１ユーザインターフェース部１１０及び第２ユーザインターフェース部１１２を介して受信される入力に少なくとも部分的に基づいて制御する。例えば、照明コントローラ１２０は、第１ユーザインターフェース部１１０から光発生源入力（light origination input）を及び第２ユーザインターフェース部１１２から光目標入力（light destination input）を受信すると共に、ＬＥＤ照明ユニット１３０の制御パラメータを該光発生源入力及び光目標入力に基づいて決定することができる。上記光発生源入力は光発生源領域を示すことができる。言い換えると、該光発生源入力は、ＬＥＤ照明ユニット１３０における光が発生すべき所望の領域を示すことができる。例えば、該光発生源入力は、ＬＥＤ照明ユニット１３０における光を発生すべきＬＥＤ１３２の部分群を示すことができる。上記光目標入力は光目標領域を示すことができる。言い換えると、該光目標入力は構造物（例えば、棚、床、壁等）における上記ＬＥＤ照明ユニット１３０から発生する光が向けられるべき所望の領域を示すことができる。
【００４３】
［００５２］幾つかの実施態様において、ＬＥＤ照明ユニット１３０のＬＥＤ１３２は１以上のドライバにより駆動され、コントローラ１２０は該１以上のドライバと通信して、ＬＥＤ１３２の１以上の光出力特性を制御パラメータに基づいて制御する。例えば、コントローラ１２０は、ＬＥＤ１３２のうちの何れが光出力を発生するか、発生される光出力の強度等を制御することができる。幾つかの実施態様において、コントローラ１２０はＬＥＤ照明ユニット１３０の上記ドライバの一部を形成することができる。幾つかの実施態様において、コントローラ１２０はＬＥＤ照明ユニット１３０の１以上のローカルなコントローラと通信してＬＥＤ１３２を制御する。例えば、各々がＬＥＤ照明ユニット１３０の１以上のＬＥＤ１３２を制御する複数のローカルコントローラを設けることができる。幾つかの実施態様において、コントローラ１２０自身は、各々がＬＥＤ照明ユニット１３０の１以上のＬＥＤ１３２を制御する複数のローカルコントローラを有することができる。コントローラ１２０は、ＬＥＤ照明ユニット１３０の単一のグループのＬＥＤ１３２を制御することができるか、又は複数のグループのＬＥＤ１３２を制御することができる。複数のコントローラを含む実施態様は、オプションとして、該複数の照明コントローラの間に有線及び／又は無線通信部を含むことができる。幾つかの実施態様においては、ＬＥＤ照明ユニット１３０のＬＥＤ１３２に関連する光学エレメントが１以上のドライバ、駆動構造体及び／又は他の構造体により制御され、コントローラ１２０は斯かる構造体の１以上と通信して、上記光学エレメントの１以上の側面を制御パラメータに基づいて制御する。例えば、光学エレメントの１以上がＬＥＤ１３２の１以上の各々に対して活性状態となるか、光学エレメントの１以上の光出力発散特性、光学エレメントの１以上の光出力平行化特性等を制御することができる。
【００４４】
［００５３］コントローラ１２０は、該コントローラ１２０が照明ユニット１３０、第１ユーザインターフェース部１１０及び／又は第２ユーザインターフェース部１１２等の１以上の他の構成要素と通信することを可能にするために少なくとも１つの通信インターフェースを含み及び／又は斯かる通信インターフェースに結合することができる。照明コントローラ１２０と１以上の構成要素との間の通信は、例えば近接通信、ブルートゥース、Wi-Fi及び／又は他の通信プロトコルを介して行うことができる。
【００４５】
［００５４］コントローラ１２０は、本明細書で説明するモジュールの幾つか又は全ての機能を提供するデータ構造及びプログラムを格納する記憶サブシステムを含み及び／又は斯かる記憶サブシステムにアクセスすることができる。例えば、該記憶サブシステムは、第１ユーザインターフェース部１１０及び第２ユーザインターフェース部１１２から受信される入力に基づいてＬＥＤ照明ユニット１３０に対する照明制御パラメータを決定し、及び／又は該受信された入力に応答して照明制御パラメータを実行するためのロジックを含むことができる。特定の実施態様の機能を実行するモジュールは、通常、コントローラ１２０単独で、又は他のコントローラとの組み合わせ（例えば、分散処理）により実行される。メモリを、当該照明コントローラ１２０の記憶サブシステムに使用することができ、照明コントローラ１２０によりアクセスすることができる。メモリは、命令及びプログラムの実行の間のデータの記憶のための主ランダムアクセスメモリ（ＲＡＭ）並びに固定命令が記憶される読出専用メモリ（ＲＯＭ）を含む複数のメモリを含むことができる。ファイル記憶サブシステムは、プログラム及びデータファイルのための持続的記憶部を提供することができ、ハードディスクドライブ、関連する取外し可能な媒体と組み合わせたフロッピー（登録商標）ディスクドライブ、ＣＤ−ＲＯＭドライブ、光ドライブ又は取外し可能な媒体カートリッジを含むことができる。
【００４６】
［００５５］幾つかの実施態様において、ＬＥＤ照明ユニット１３０は、各々がＬＥＤ１３２の１以上を含む複数のＬＥＤグループを含むことができる。例えば、幾つかの実施態様において、上記ＬＥＤグループは、各々、ＬＥＤ１３２の少なくとも１つの面及び／又はＬＥＤ１３２の面の１以上の部分を含むことができる。ＬＥＤ１３２の面は、平らな面、アーチ状の面、複数ファセットの面、及び／又は１以上のＬＥＤ１３２を含む他の面を含むことができる。１以上のＬＥＤを含むことができる面の幾つかの例は、壁、天井、床、柱（例えば、円柱、四角柱、楕円柱）、棚（例えば、小売店の棚）又は他の面を含む。上記ＬＥＤグループの各々の制御の１以上の態様は、オプションとして、個々のＬＥＤグループに固有のものとすることができる。例えば、１以上のＬＥＤグループの輝度、カラー、ビーム幅及び／又はビーム方向を個々に制御することができる。例えば、１以上のＬＥＤグループの光出力のビーム方向を、当該光出力にとり所望の目標領域上に該光出力を収束させるように向け直すことができる。
【００４７】
［００５６］本明細書で更に詳細に説明するように、幾つかの実施態様において、第１ユーザインターフェース部１１０及び／又は第２ユーザインターフェース部１１２はＬＥＤ照明ユニット１３０により実施化することができる。例えば、ＬＥＤ照明ユニット１３０は、該ＬＥＤ照明ユニット１３０に対してユーザが開始した接触に応答し、斯かる接触を示す及び／又は斯かる接触の位置を示す出力を前記コントローラ１２０に供給することができる１以上のセンサを含むことができる。幾つかの実施態様において、接触に応答する上記１以上のセンサは、ＬＥＤ照明ユニット１３０の接触感知シートにおける１以上のセンサを含むことができる。例えば、透光性接触感知シートをＬＥＤ照明ユニット１３０のＬＥＤ１３２上に重ねることができ、及び／又は接触感知シートをＬＥＤ照明ユニット１３０のハウジング上に設けることができる。例えば、ＬＥＤ１３２を小売店陳列棚の底部上に設けることができる一方、接触感知シートを該小売店陳列棚における上記ＬＥＤ１３２の反対側の上部に取り付けることができる。幾つかの実施態様において、ユーザが開始した接触に応答する上記１以上のセンサは、ＬＥＤ照明ユニット１３０のＬＥＤ１３２における入射光を感知するように構成され得る１以上を含むことができる。例えば、斯かるＬＥＤ１３２は入射する周囲光を感知することができ、該ＬＥＤ上に及び／又は該ＬＥＤの近傍に配置された物体に応答することができる。というのは、このような配置は感知される周囲光を減少させ得るからである。該感知された周囲光の量はコントローラ１２０に供給され、該コントローラが、ユーザが上記ＬＥＤ上に及び／又は該ＬＥＤに近接して物体を配置したと判断することを可能にすることができる。ＬＥＤ１３２上に及び／又はＬＥＤ１３２に近接して配置することができる物体は、例えば、ユーザの指（複数の指）、展示のための小売店商品、ＬＥＤ１３２上に貼り付けることができるステッカ等を含む。幾つかの実施態様において、光を感知するように構成された上記ＬＥＤは、光出力を発生するように構成することもできる。例えば、斯かるＬＥＤは第１モードにおいて光出力を発生する一方、第１モードでない場合に光を感知することができる。
【００４８】
［００５７］また、本明細書で更に詳細に説明するように、幾つかの実施態様において、第１ユーザインターフェース部１１０及び／又は第２ユーザインターフェース部１１２は、当該ＬＥＤ照明ユニット１３０からの光出力を向けることができる光目標構造体により実施化することもできる。例えば、該光目標構造体は、ユーザが開始した接触に応答し、斯かる接触を示す及び／又は斯かる接触の位置を示す出力を前記コントローラ１２０に供給することができる１以上のセンサを含むことができる。幾つかの実施態様において、上記１以上のセンサは、ユーザによる接触に応答することができると共に、上記光目標構造体上に設けられる接触感知シートの１以上のセンサを含むことができる。例えば、透光性接触感知シートを、光出力が向けられる小売店陳列棚に対して設けることができる。幾つかの実施態様において、ユーザが開始した接触に応答する上記１以上のセンサは、光目標構造体における入射光を感知するように構成することができる１以上のＬＥＤを含むことができる。
【００４９】
［００５８］また、本明細書において更に詳細に説明するように、幾つかの実施態様において、第１ユーザインターフェース部１１０及び／又は第２ユーザインターフェース部１１２はモバイル計算装置の１以上の接触感知面により実施化することができる。例えば、モバイル計算装置の前面を接触感知性にして第１ユーザインターフェース部１１０とすることができると共に、該装置の背面も接触感知性にして第２ユーザインターフェース部１１２とすることもできる。また、例えば、該装置の前面のみを接触感知性として、第１ユーザインターフェース部１１０及び／又は第２ユーザインターフェース部１１２とすることもできる。
【００５０】
［００５９］図３Ａは、接触感知性光目標構造体３１７Ａの或る領域における所望の照明を達成するための発光構造体３１５Ａの第１ユーザインターフェース部３１０Ａによるユーザ対話及び光目標構造体３１７Ａの第２ユーザインターフェース部３１２Ａによるユーザ対話の一例を示す。発光構造体３１５Ａは、自身の上面にユーザインターフェース部３１０Ａを組み込んでいる一方、自身の底面上にはＬＥＤ照明ユニット３３０Ａを含んでいる。ＬＥＤ照明ユニット３３０Ａは１以上のＬＥＤを含み、これらＬＥＤの各々は、光出力を供給する場合に、供給される光出力を上記光目標構造体３１７Ａの１以上の部分に向ける。幾つかの実施態様において、発光構造体３１５Ａは小売店陳列棚とすることができると共に、光目標構造体３１７Ａも小売店陳列棚とすることができる。幾つかの実施態様において、光目標構造体３１７Ａは小売店陳列棚とすることができる一方、発光構造体３１５Ａは該小売店陳列棚より上に配置される構造体とすることができる。
【００５１】
［００６０］ユーザインターフェース部３１０Ａ及びユーザインターフェース部３１２Ａは、共に、接触感知性インターフェース部である。例えば、ユーザインターフェース部３１０Ａ及び／又はユーザインターフェース部３１２Ａは、ユーザによる１以上の接触の存在及び／又は位置の決定を可能にするための抵抗性及び／又は容量性技術を用いる接触感知シートであり得る。また、例えば、ユーザインターフェース部３１０Ａ及び／又はユーザインターフェース部３１２Ａは、例えば図４を参照して説明するような、幾つかの実施態様ではユーザが開始したＬＥＤの表面との接触を感知するために使用することが可能な、ＬＥＤの表面とすることもできる。
【００５２】
［００６１］第１の手１Ａの人差し指により、ユーザはユーザインターフェース部３１０Ａの特定の領域に接触し、このことは当該ＬＥＤ照明ユニット３３０Ａに関連するコントローラに光発生源入力を供給する。該光発生源入力は、図示された光出力３３３Ａが発生すべき所望の光発生源領域を示す。コントローラは、受信された該光発生源入力を用いて、ＬＥＤ照明ユニット３３０Ａにおける上記光発生源領域にある１以上のＬＥＤを識別することができる。例えば、当該光発生源入力はユーザインターフェース部３１０Ａにおける当該ユーザにより接触された１以上の位置を示すものであり得、コントローラはＬＥＤ照明ユニット３３０ＡのＬＥＤに対するユーザインターフェース部３１０Ａの位置のマッピング情報にアクセスして、該ユーザインターフェース部３１０Ａにおける上記１以上の位置に対応する１以上のＬＥＤを決定することができる。
【００５３】
［００６２］第１の手１Ａの人差し指によるインターフェース部３１０Ａのユーザ接触が図示されているが、光発生源領域を定めるために他の接触を用いることもできる。例えば、ユーザは該ユーザの指により円、正方形又は他の形状を描くことができ、斯かる入力を、該描かれた形状に実質的に対応する光発生源領域を決定するために用いることができる。また、例えば、ユーザはユーザインターフェース部３１０Ａを２以上の指で同時に接触することができ、斯かる２以上の接触の位置を、該２以上の接触の位置の範囲（境界）に実質的に対応する光発生源領域を定めるために用いることができる。更に、本明細書で説明するように、幾つかの実施態様において、ユーザは光発生源領域を定めるためにユーザインターフェース部３１０Ａ上に物体を配置することができる。例えば、ユーザはユーザインターフェース部３１０Ａ上にステッカ及び／又は他の物体を配置することができ、コントローラには斯様な物体の存在及び／又は位置を示す光発生源入力を供給することができる。本開示の利益を受ける当業者は、光発生源領域を定めるために更なる及び／又は代わりのユーザ開始接触を用いることもできることを認識及び理解するであろう。
【００５４】
［００６３］第２の手２Ａの人差し指及び親指により、ユーザはユーザインターフェース部３１２Ａの特定の領域に接触し、このことはＬＥＤ照明ユニット３３０Ａに関連するコントローラに光目標入力を供給させる。該光目標入力は、光目標構造体３１７Ａにおける光出力３３３Ａが向けられるべき所望の光目標領域を示す。図３Ａの図示された実施態様において、第２の手２Ａの人差し指と親指との間の間隔は光目標領域の所望の幅を示す。上記コントローラは、上記光目標入力及び前記光発生源入力を用いて光発生源領域における１以上のＬＥＤの１以上の制御パラメータを決定し、該光発生源領域からの光目標領域の照明を実行する。例えば、光目標入力はユーザにより接触されたユーザインターフェース部３１２Ａの１以上の位置を示すことができる一方、コントローラはＬＥＤ照明ユニット３３０ＡのＬＥＤに対するユーザインターフェース部３１２Ａの位置のマッピング情報にアクセスし、前記光発生源領域に対応すると共に当該光目標領域に光出力を供給することができる１以上のＬＥＤを決定することができる。例えば、上記コントローラは前記ＬＥＤのうちの第１の手により示された光発生源領域に対応するＬＥＤを決定することができ、これらＬＥＤのうちの１つが第２の手により示された光目標領域に向けられた光出力を供給する。このような決定に基づいて、コントローラは上記１つのＬＥＤに光出力を発生させると共に如何なる他のＬＥＤにも光出力を発生させない制御パラメータを決定することができる。結果として、光発生源領域から生じると共に光目標領域に向けられた光出力３３３Ａを発生することができる。幾つかの実施態様において、コントローラは、光発生源領域に関連する１以上のＬＥＤからの光出力を光目標領域に向けるために、更に及び／又は代わりに、１以上のＬＥＤに関連する光学エレメントが活性化され、駆動され及び／又は変化されるようにする制御パラメータを決定することもできる。
【００５５】
［００６４］幾つかの実施態様において、コントローラは第１インターフェース部（第１インターフェースエレメント）３１０Ａ及び第２インターフェース部（第２インターフェースエレメント）３１２Ａによるユーザ対話に基づいて、これら対話が互いから或る閾期間でもって発生する場合にのみ光出力特性を変化させる。例えば、幾つかの実施態様において、コントローラは第１インターフェースエレメント３１０Ａ及び第２インターフェースエレメント３１２Ａによるユーザ対話に基づいて、これら対話が同時に発生する場合にのみ光出力特性を変化させる。また、例えば、幾つかの実施態様において、コントローラは第１インターフェースエレメント３１０Ａ及び第２インターフェースエレメント３１２Ａによるユーザ対話に基づいて、これら対話が互いからＸ秒でもって発生する場合にのみ光出力特性を変化させる。
【００５６】
［００６５］第２の手２Ａの人差し指及び親指によるインターフェース部３１２Ａのユーザ接触が図示されているが、光目標領域を定めるために他の接触を用いることもできる。例えば、ユーザは該ユーザの指により円、正方形又は他の形状を描くことができ、斯かる入力を、該描かれた形状に実質的に対応する光目標領域を決定するために用いることができる。また、例えば、ユーザはユーザインターフェース部３１２Ａを単一の指で接触することができ、斯かる接触の位置を、該接触の位置に実質的に対応する光目標領域を定めるために用いることができる。更に、本明細書で説明するように、幾つかの実施態様において、ユーザは光目標領域を定めるためにユーザインターフェース部３１２Ａ上に物体を配置することができる。例えば、ユーザはユーザインターフェース部３１２Ａ上にステッカ及び／又は他の物体を配置することができ、コントローラには斯様な物体の存在及び／又は位置を示す光目標入力を供給することができる。本開示の利益を受ける当業者は、光目標領域を定めるために更なる及び／又は代わりのユーザ開始接触を用いることもできることを認識及び理解するであろう。
【００５７】
［００６６］幾つかの実施態様において、供給される光出力３３３Ａを微調整するために第１インターフェース部３１０Ａ及び／又は第２インターフェース部３１２Ａを介して更なる入力を供給することができる。例えば、幾つかの実施態様において、目標領域の大きさを狭めるために第２インターフェース部３１２Ａ上で摘まみ込み手振りを利用することができ（これにより、光目標構造体３１７Ａ上に入射する光出力３３３Ａの幅を狭める）、又は該目標領域の大きさを広げるために第２インターフェース部３１２Ａ上で摘まみ広げ手振り利用することができる（これにより、光目標構造体３１７Ａに入射する光出力３３３Ａの幅を広げる）。当該コントローラは斯かる微調整情報を受信すると共に、微調整された制御パラメータを決定して光発生源領域からの微調整された目標領域の照明を実現する（例えば、当該光発生源領域の特定のＬＥＤを活性化及び／又は非活性化させることにより）。また、例えば、幾つかの実施態様において、単一タップ操作、２重タップ操作、長押し及び／又は他のジェスチャ等の第２インターフェース部３１２Ａ上におけるユーザの更なる接触により、新たな光発生源領域を定めることもできる。
【００５８】
［００６７］図３Ｂは、光出力３３３Ｂ１を介して光目標構造体３１７Ｂの或る領域における所望の照明を達成するための発光構造体３１５Ｂの第１ユーザインターフェース部３１０Ｂによるユーザ対話及び光目標構造体３１７Ｂの第２ユーザインターフェース部３１２Ｂによるユーザ対話の他の例を示す。図３Ａと同様に、発光構造体３１５Ｂは、自身の上面にユーザインターフェース部３１０Ｂを組み込んでいる一方、自身の底面上にはＬＥＤ照明ユニット３３０Ｂを含んでいる。該ＬＥＤ照明ユニット３３０Ｂは１以上のＬＥＤを含み、これらＬＥＤの各々は、光出力を供給する場合に、供給される光出力を上記光目標構造体３１７Ｂの１以上の部分に向ける。幾つかの実施態様において、発光構造体３１５Ｂは小売店陳列棚とすることができると共に、光目標構造体３１７Ｂも小売店陳列棚とすることができる。幾つかの実施態様において、光目標構造体３１７Ｂは小売店陳列棚とすることができる一方、発光構造体３１５Ｂは該小売店陳列棚より上に配置される構造体とすることができる。ユーザインターフェース部３１０Ｂ及びユーザインターフェース部３１２Ｂは、共に、接触感知性インターフェース部である。
【００５９】
［００６８］第１の手１Ｂの人差し指により、ユーザはユーザインターフェース部３１０Ｂの特定の領域に接触し、このことは当該ＬＥＤ照明ユニット３３０Ｂに関連するコントローラに光発生源入力を供給する。該光発生源入力は、光出力が発生すべき所望の光発生源領域を示す。コントローラは、該光発生源入力を用いて、ＬＥＤ照明ユニット３３０Ｂにおける上記光発生源領域にある１以上のＬＥＤを識別する。例えば、当該光発生源入力はユーザインターフェース部３１０Ｂにおける当該ユーザにより接触された１以上の位置を示すものであり得、コントローラはＬＥＤ照明ユニット３３０ＢのＬＥＤに対するユーザインターフェース部３１０Ｂの位置のマッピング情報にアクセスして、該ユーザインターフェース部３１０Ｂにおける上記１以上の位置に対応する１以上のＬＥＤを決定することができる。該コントローラは、次いで、当該光発生源領域におけるＬＥＤが点灯されるようにして、該光発生源領域から光出力が供給され得る領域の視覚的指示を行う。特に、コントローラは当該光発生源領域におけるＬＥＤが点灯されるようにして光出力３３３Ｂ１、３３３Ｂ２及び３３３Ｂ３を供給し、これら光出力の各々が、光出力が供給され得る領域の視覚的指示を行うようにする。光出力が供給され得る領域の視覚的指示を行うことは、ユーザが、第２インターフェースエレメント３１２Ｂにおける有効な光目標位置として選択することが可能な領域を識別することを可能にする。
【００６０】
［００６９］第２の手２Ｂの人差し指により、ユーザはユーザインターフェース部３１２Ｂの特定の領域に接触し、このことはＬＥＤ照明ユニット３３０Ｂに関連するコントローラに光目標入力を供給させる。該光目標入力は、光目標構造体３１７Ｂにおける光出力が向けられるべき所望の光目標領域を示す。前記供給された光出力３３３Ｂ１、３３３Ｂ２及び３３３Ｂ３は、ユーザが当該選択された光発生源領域に関して選択すべき３つの有効な光目標領域を識別する際の補助を行う。図３Ｂに光出力３３３Ｂ１の強調輪郭線により示されるように、当該ユーザは、該光出力３３３Ｂ１に対応する光目標領域を選択している。上記コントローラは、上記光目標入力及び前記光発生源入力を用いて光発生源領域における１以上のＬＥＤの１以上の制御パラメータを決定し、光出力３３３Ｂ１を維持すると共に光出力３３３Ｂ２及び３３３Ｂ３を削除することができる。例えば、光目標入力はユーザにより接触されたユーザインターフェース部３１２Ｂの１以上の位置を示すことができる一方、コントローラはＬＥＤ照明ユニット３３０ＢのＬＥＤに対するユーザインターフェース部３１２Ｂの位置のマッピング情報にアクセスし，前記光発生源領域に対応すると共に当該光目標領域に光出力３３３Ｂ１を供給することができる１以上のＬＥＤを決定することができる。例えば、上記コントローラは前記ＬＥＤのうちの第１の手１Ｂにより示された光発生源領域に対応するＬＥＤを決定することができ、これらＬＥＤのうちの１つが第２の手２Ｂにより示された光目標領域に向けられた光出力を供給する。このような決定に基づいて、コントローラは上記１つのＬＥＤに光出力を発生させると共に如何なる他のＬＥＤにも光出力を発生させない制御パラメータを決定することができる。幾つかの実施態様において、コントローラは、光発生源領域に関連する１以上のＬＥＤからの光出力を光目標領域に向けるために、更に及び／又は代わりに、１以上のＬＥＤに関連付けられた光学エレメントが活性化され、駆動され及び／又は変化されるようにする制御パラメータを決定することもできる。
【００６１】
［００７０］幾つかの実施態様において、ユーザは光出力３３３Ｂ２及び／又は３３３Ｂ３に対応する追加の光目標領域を選択することができ、前記光発生源領域からの光出力を該選択された追加の光目標領域に供給することもできる。例えば、ユーザが光出力３３３Ｂ２に対応する光目標領域を前記光出力３３３Ｂ１に対応する光目標領域の選択から或る閾期間内に選択した場合、コントローラは該追加の光目標入力を用いて前記光発生源領域における前記１以上のＬＥＤの１以上の制御パラメータを決定し、該光出力３３３Ｂ２も維持することができる。幾つかの実施態様においては、１以上の所望の目標領域を直接選択する代わりに、ユーザは、該ユーザが削除したい１以上の光目標領域を選択することにより所望の光目標領域を示す光目標入力を供給することもできる。例えば、幾つかの実施態様において、光出力３３３Ｂ１を維持するために、ユーザは光出力３３３Ｂ２及び３３３Ｂ３に対応する光目標領域を選択することができる。これらの実施態様の幾つかにおいて、光出力３３３Ｂ２に対応する光目標領域の選択は該光出力３３３Ｂ２を削除する一方、光出力３３３Ｂ３に対応する光目標領域の選択は該光出力３３３Ｂ３を削除し、これにより、光出力３３３Ｂ１を残存させて、該光出力３３３Ｂ１に対応する光目標領域を推論的に選択する。
【００６２】
［００７１］幾つかの実施態様において、コントローラは第１インターフェースエレメント３１０Ｂ及び第２インターフェースエレメント３１２Ｂによるユーザ対話に基づいて、これら対話が互いから或る閾期間でもって発生する場合にのみ光出力特性を変化させる。インターフェース部３１０Ｂ及び３１２Ｂの特定のユーザ接触が図示されているが、光発生源領域及び／又は光目標領域を定めるために他の接触及び／又は物体配置を用いることもできる。幾つかの実施態様において、供給される光出力３３３Ｂ１を微調整するために第１インターフェース部３１０Ｂ及び／又は第２インターフェース部３１２Ｂを介して更なる入力を供給することができる。例えば、前述したように、幾つかの実施態様においては光出力３３３Ｂ２及び／又は３３３Ｂ３を付加的に供給するために更なる入力を供給することができる。コントローラは斯かる微調整情報を受信すると共に、微調整された制御パラメータを決定して光発生源領域からの微調整された目標領域の照明を実現することができる（例えば、当該光発生源領域の特定のＬＥＤを活性化及び／又は非活性化させることにより）。
【００６３】
［００７２］図３Ｃは、目標構造体３１７Ｃの或る領域の所望の照明を達成するための、発光構造体３１５Ｃの第１ユーザインターフェース部３１０Ｃ及び該発光構造体３１５Ｃの第２ユーザインターフェース部３１２Ｃによるユーザ対話の一例を示す。図３Ａ及び図３Ｂと同様に、発光構造体３１５Ｃは、自身の上面にユーザインターフェース部３１０Ｃを組み込んでいる一方、自身の底面上にはＬＥＤ照明ユニット３３０Ｃを含んでいる。該発光構造体３１５Ｃは、自身の上面に第２ユーザインターフェース部３１２Ｃも組み込んでいる。上記ＬＥＤ照明ユニット３３０Ｃは１以上のＬＥＤを含み、これらＬＥＤの各々は、光出力を供給する場合に、供給される光出力を上記光目標構造体３１７Ｃの１以上の部分に向ける。幾つかの実施態様において、発光構造体３１５Ｃは小売店陳列棚とすることができると共に、光目標構造体３１７Ｃも小売店陳列棚とすることができる。幾つかの実施態様において、光目標構造体３１７Ｃは小売店陳列棚とすることができる一方、発光構造体３１５Ｃは該小売店陳列棚より上に配置される構造体とすることができる。
【００６４】
［００７３］上記ユーザインターフェース部３１０Ｃ及びユーザインターフェース部３１２Ｃは、共に、接触感知性インターフェース部である。幾つかの実施態様において、該第１ユーザインターフェース部３１０Ｃ及び第２ユーザインターフェース部３１２Ｃは、接着的に形成された同一のインターフェースにおける２つの異なる部分であり得る。例えば、第１ユーザインターフェース部３１０Ｃは接触感知性シートの第１部分とすることができる一方、第２ユーザインターフェース部３１２Ｃは該接触感知性シートの第２部分とすることができる。幾つかの構成例において、第１ユーザインターフェース部３１０Ｃ及び第２ユーザインターフェース部３１２Ｃは、動的に画定される区画（セグメント）とすることができる。例えば、第１ユーザインターフェース部３１０Ｃはユーザにより最初に対話される部分とすることができる一方、第２ユーザインターフェース部３１２Ｃはユーザにより、その後に、対話される（オプションとして、第１ユーザインターフェース部３１０Ｃとの接触を維持している間に）他の部分とすることができる。
【００６５】
［００７４］第１の手１Ｃの人差し指により、ユーザはユーザインターフェース部３１０Ｃの特定の領域に接触し、このことは当該ＬＥＤ照明ユニット３３０Ｃに関連するコントローラに光発生源入力を供給する。該光発生源入力は、光出力が発生すべき所望の光発生源領域を示す。コントローラは、該光発生源入力を用いて、ＬＥＤ照明ユニット３３０Ｃにおける上記光発生源領域にある１以上のＬＥＤを識別する。例えば、当該光発生源入力はユーザインターフェース部３１０Ｃにおける当該ユーザにより接触された１以上の位置を示すものであり得、コントローラはＬＥＤ照明ユニット３３０ＣのＬＥＤに対するユーザインターフェース部３１０Ｃの位置のマッピング情報にアクセスして、該ユーザインターフェース部３１０Ｃにおける上記１以上の位置に対応する１以上のＬＥＤを識別することができる。該コントローラは、次いで、当該光発生源領域におけるＬＥＤが点灯されるようにして、該光発生源領域から光出力が供給され得る領域の視覚的指示を行う。特に、コントローラは当該光発生源領域におけるＬＥＤが点灯されるようにして光出力３３３Ｃ１、３３３Ｃ２及び３３３Ｃ３を供給し、これら光出力の各々が、光出力が供給され得る領域の視覚的指示を行うようにする。光出力が供給され得る領域の視覚的指示を行うことは、ユーザが、光目標構造体３１７Ｃにおける有効な光目標位置として選択することが可能な領域を識別することを可能にする。
【００６６】
［００７５］第２の手２Ｃの人差し指により、ユーザはユーザインターフェース部３１２Ｃと対話し、ＬＥＤ照明ユニット３３０Ｃに関連するコントローラに光目標入力を供給する。例えば、ユーザはスワイプ動作、タップ動作及び／又は他のジェスチャを用いて光出力３３３Ｃ１、３３３Ｃ２及び３３３Ｃ３の１以上を選択し、これにより、コントローラに光目標構造体３１７Ｃにおける光出力が向けられるべき所望の光目標領域を示す光目標入力を供給することができる。例えば、ユーザの第２の手２Ｃによるスワイプジェスチャは、上記光出力３３３Ｃ１〜Ｃ３の各々を循環させることができる（例えば、各スワイプジェスチャは上記光出力のうちの新たなものが供給されるようにさせる）。光出力３３３Ｃ１〜Ｃ３の１つが供給されている間に、ユーザは所定の期間停止して該１つの光出力を選択し、及び／又は或るジェスチャ（例えば、タップ操作、２重タップ操作）を実行して該１つの光出力を選択することができ、これによって、該１つの光出力に対応する光目標領域を選択することより光目標入力を供給する。図３Ｃに光出力３３３Ｃ１の強調輪郭線により示されるように、当該ユーザは、該光出力３３３Ｃ１に対応する光目標領域を選択している。上記コントローラは、上記光目標入力及び前記光発生源入力を用いて光発生源領域における１以上のＬＥＤの１以上の制御パラメータを決定し、光出力３３３Ｃ１を維持すると共に光出力３３３Ｃ２及び３３３Ｃ３を削除することができる。例えば、上記光目標入力は光出力３３３Ｃ１に対する所望を示すものであり得る一方、コントローラはＬＥＤ照明ユニット３３０ＣのＬＥＤに対する該光出力３３３Ｃ１のマッピング情報にアクセスし，前記光発生源領域に対応すると共に当該光目標領域に光出力３３３Ｃ１を供給する１以上のＬＥＤを決定することができる。このような決定に基づいて、コントローラは上記１つのＬＥＤに光出力を発生させると共に如何なる他のＬＥＤにも光出力を発生させない制御パラメータを決定することができる。
【００６７】
［００７６］幾つかの実施態様において、ユーザは光出力３３３Ｃ２及び／又は３３３Ｃ３に対応する追加の光目標領域を選択することができ、前記光発生源領域からの光出力を該選択された追加の光目標領域に供給することもできる。幾つかの実施態様において、コントローラは第１インターフェースエレメント３１０Ｃ及び第２インターフェースエレメント３１２Ｃによるユーザ対話に基づいて、これら対話が互いから或る閾期間でもって発生する場合にのみ光出力特性を変化させる。インターフェース部３１０Ｃ及び３１２Ｃの特定のユーザ接触が図示されているが、光発生源領域及び／又は光目標領域を定めるために他の接触及び／又は物体配置を用いることもできる。幾つかの実施態様において、供給される光出力３３３Ｃ１を微調整するために第１インターフェース部３１０Ｃ及び／又は第２インターフェース部３１２Ｃを介して更なる入力を供給することができる。例えば、幾つかの実施態様においては、光出力３３３Ｃ２及び／又は３３３Ｃ３を付加的に供給するために更なる入力を供給することができる。コントローラは斯かる微調整情報を受信すると共に、微調整された制御パラメータを決定して光発生源領域からの微調整された目標領域の照明を実現することができる（例えば、当該光発生源領域の特定のＬＥＤを活性化及び／又は非活性化させることにより）。
【００６８】
［００７７］図３Ｂ及び図３Ｃは、光発生源入力を、光発生源領域におけるＬＥＤを点灯させて、該光発生源領域から光出力を供給することができる複数の目標領域の視覚的指示を行うために利用する実施態様を図示している。幾つかの実施態様においては、光目標入力を、複数の光発生源領域のＬＥＤを点灯させて、当該光目標領域へ光を供給することができる複数の光発生源領域の視覚的指示を行うために使用することができる。例えば、図３Ｂを参照すると、幾つかの実施態様において、ユーザはユーザインターフェース部３１２Ｂの特定の領域に接触することができ、このことは、ＬＥＤ照明ユニット３３０Ｂに関連するコントローラに光目標入力を供給させる。該光目標入力は、光出力が供給されるべき所望の光目標領域を示す。上記コントローラは、該光目標入力を用いて、ＬＥＤ照明ユニット３３０Ｂにおける上記光目標領域に光出力を供給する１以上のＬＥＤを識別する。例えば、上記光目標入力は、ユーザインターフェース部３１２Ｂにおけるユーザにより接触された１以上の位置を示すことができ、コントローラはＬＥＤ照明ユニット３３０ＢのＬＥＤに対するユーザインターフェース部３１２Ｂの位置のマッピング情報にアクセスして、該ユーザインターフェース部３１２Ｂの上記１以上の位置に光出力を供給する１以上のＬＥＤを決定することができる。コントローラは、次いで、これらＬＥＤが点灯されるようにして、当該光目標領域に光出力を供給することができるＬＥＤの視覚的指示を行うことができる。ユーザは、次いで、これらの点灯されたＬＥＤに基づいて光発生源領域を選択することができる。光出力を発生することができる領域の視覚的指示を行うことは、ユーザが第１ユーザインターフェース部３１０Ｂにおける有効な光発生源位置として選択することができる領域を識別することを可能にする。幾つかの実施態様において、光出力を発生することができる領域の視覚的指示を行うためにＬＥＤを点灯することに加えて及び／又は代えて、第１ユーザインターフェース部３１０Ｂは、該第１ユーザインターフェース部３１０Ｂにおける選択可能な領域の指示を行うために動的表示特性を含むこともできる。例えば、ユーザインターフェース部３１０Ｂは、接触感知性表示スクリーンであり得ると共に、該第１ユーザインターフェース部３１０Ｂのうちの選択可能な領域を異なるカラーで強調することができる。
【００６９】
［００７８］図４は、ＬＥＤの面に対してユーザが開始した接触を感知するために一実施態様において使用することが可能なＬＥＤの面の一部の分解斜視図を示す。例えば、ＬＥＤの面を、図３Ａの第１ユーザインターフェース部３１０Ａ及び第２ユーザインターフェース部３１２Ａのうちの一方又は両方として使用することができる。また、例えば、幾つかの実施態様において、該ＬＥＤの面は、同じＬＥＤのうちの光目標領域に対して照明を供給する１以上を含むこともできる。例えば、幾つかの実施態様において、ユーザインターフェース部３１０Ａは、発光構造体３１５ＡにおけるＬＥＤ照明ユニット３３０Ａと同じ側に設けることができると共に、オプションとして該ＬＥＤ照明ユニット３３０Ａ内に組み込むことができる。
【００７０】
［００７９］図４には、ＬＥＤの面の複数の層４４０が、取付面（例えば、小売店陳列棚）５から且つ互いから分解されて示されている。これらＬＥＤの面４４０は、第１ＬＥＤ層４４２、拡散層４４４及び第２ＬＥＤ層４４６を含んでいる。これらＬＥＤの面４４０は、面５に結合することができる。例えば、幾つかの実施態様において、第１ＬＥＤ層４４２は面５に接着的に取り付けることができる。幾つかの他の実施態様において、第１ＬＥＤ層４４２は面５に粘着的に形成することができる。第１ＬＥＤ層４４２は複数のＬＥＤ４２３を含む。幾つかの実施態様において、ＬＥＤ４２３の間隔及び／又は電力は、当該第１ＬＥＤ層４４２上に拡散層４４４が存在する場合に実質的に均一な発光面が形成され得るようなものとすることができる。幾つかの実施態様において、拡散層４４４はＬＥＤ４２３により発生された光出力を拡散させる微細構造を備えたプラスチックを含むことができる。該拡散層４４４は、第２ＬＥＤ層４４６の電気的接続を可能にするために電気接続部及び／又は貫通路を含むことができる。第２ＬＥＤ層４４６は複数のＬＥＤ４２７を含む。図示されたように、幾つかの実施態様において、ＬＥＤ４２７はＬＥＤ４２３よりも低い密度で装着することができる。
【００７１】
［００８０］ＬＥＤ４２３及び４２７は、ユーザの指及び／又は他の物体の存在を識別するための感知ＬＥＤとして使用することができる。例えば、幾つかの実施態様において、ＬＥＤ４２３の１以上は光出力を供給することができる一方、ＬＥＤ４２７は、感知モードにおいて、該ＬＥＤ４２７において受光される光出力を感知するように動作することができる。ＬＥＤ４２７のうちの１つにおいて受光されるＬＥＤ４２３の光出力は、該ＬＥＤ４２７上に物体が存在し、ＬＥＤ４２３からの光出力の幾らかが当該ＬＥＤ４２７に反射及び／又は回折して戻されるようにすることを示すことができる。例えば、ＬＥＤ４２７上への物体の配置は、該物体上に入射するＬＥＤ４２３からの光出力の少なくとも幾らかが該ＬＥＤ４２７に反射して戻されるようにする。幾つかの実施態様において、ＬＥＤの面に対面する物体の少なくとも一部を、当該ＬＥＤ４２７に向かって光を戻るように向け直すのを補助するために反射性とすることができる。幾つかの実施態様においては、１以上のＬＥＤ４２７において感知された光量値は、対応するＬＥＤ４２７の上に又は近傍に物体が存在しない場合に予想される光量値を示す基準光量値と比較することができる。幾つかの実施態様において、ＬＥＤ４２３により発生される光は、周囲光等の他の明かりからの光と区別するために符号化光とすることができる。
【００７２】
［００８１］図５Ａ及び図５Ｂは、発光構造体５１５から光目標構造体５１７の或る領域の所望の照明を達成するための、モバイル計算装置５０２の第１面上の第１ユーザインターフェース部５１０によるユーザ対話及び該モバイル計算装置５０２の第２面上の第２ユーザインターフェース部５１２によるユーザ対話の一例を示す。発光構造体５１５は、自身の底面上にＬＥＤ照明ユニット５３０を含んでいる。該ＬＥＤ照明ユニット５３０は１以上のＬＥＤを含み、これらＬＥＤの各々は、光出力を供給する場合に、供給される光出力を光目標構造体５１７の１以上の部分に向ける。幾つかの実施態様において、発光構造体５１５は天井であり得る一方、光目標構造体５１７は床であり得る。幾つかの実施態様において、光目標構造体５１７は小売店陳列棚であり得る一方、発光構造体５１５は小売店陳列棚又は該陳列棚より上に配置される構造体であり得る。
【００７３】
［００８２］ユーザインターフェース部５１０及びユーザインターフェース部５１２は、共に接触感知性のインターフェース部である。例えば、ユーザインターフェース部５１０はモバイル計算装置５０２の前面上の例えば接触感知性表示スクリーン等の接触感知性スクリーンとすることができる。また、例えば、ユーザインターフェース部５１２も、モバイル計算装置５０２の背面上にある接触感知性表示スクリーン等の接触感知性スクリーン、及び／又は該モバイル計算装置５０２の背面上にあるが能動的表示は行わない接触感知性カバーとすることができる。
【００７４】
［００８３］手２Ａの親指３Ａにより、ユーザはユーザインターフェース部５１０の特定の領域に接触し、このことは光発生源入力をＬＥＤ照明ユニット５３０に関連するコントローラに供給する。モバイル計算装置５０２及びＬＥＤ照明ユニット５３０に関連する上記コントローラは、ブルートゥース、Wi-Fi及び／又は他の通信技術を介して互いにネットワーク通信状態にすることができる。上記光発生源入力は、示された光出力５３３が発生すべき所望の光発生源領域を示す。コントローラは、受信された光発生源入力を使用して、ＬＥＤ照明ユニット５３０における当該光発生源領域内にある１以上のＬＥＤを識別することができる。例えば、上記光発生源入力はユーザインターフェース部５１０におけるユーザにより接触された１以上の位置を示すことができ、コントローラはＬＥＤ照明ユニット５３０のＬＥＤに対するユーザインターフェース部５１０の位置のマッピング情報にアクセスして、該ユーザインターフェース部５１０の上記１以上の位置に対応する１以上のＬＥＤを決定することができる。例えば、発光構造体５１５とユーザインターフェース部５１０との間のスケジューリングされたマッピング情報を設けることができる。例えば、発光構造体５１５の全底面にＬＥＤを設けることができる一方、ユーザインターフェース部５１０の中心が該発光構造体５１５の中心に一致すると共に該ユーザインターフェース部５１０の角が該発光構造体５１５の各角に対応するようにすることができる。
【００７５】
［００８４］第１の手２Ａの親指３Ａによるインターフェース部５１０のユーザ接触が図示されているが、光発生源領域を定めるために他の接触を用いることもできる。例えば、ユーザは該ユーザの指により円、正方形又は他の形状を描くことができ、斯かる入力を、該描かれた形状に実質的に対応する光発生源領域を決定するために用いることができる。本開示の利益を受けた当業者は、光発生源領域を定めるために更なる及び／又は代わりのユーザ開始接触を用いることもできることを認識及び理解するであろう。
【００７６】
［００８５］手２Ａの人差し指３Ｂにより、ユーザはユーザインターフェース部５１２の特定の領域に接触し、このことは光目標入力をＬＥＤ照明ユニット５３０に関連するコントローラに供給する。人差し指３Ｂは図５Ａでは破線により示され、該人差し指はモバイル計算装置５０２の背後に延びている。該光目標入力は、光目標構造体５１７における光出力５３３が向けられるべき所望の光目標領域を示す。図５Ａ，図５Ｂの図示された実施態様では、ユーザに対して視覚的フィードバックを供給するために、光出力５３３の視覚的指示５１３がユーザインターフェース部５１０上で提供される。該視覚的指示５１３は親指３Ａと人差し指３Ｂの位置との間に延び、テーパ状の形質は、親指３Ａが光出力５３３の発生源を設定すると共に、人差し指３Ｂが目標を設定することを示している。当該コントローラは、上記光目標入力及び光発生源入力を用いて光発生源領域における１以上のＬＥＤの１以上の制御パラメータを決定し、該光発生源領域からの該光目標領域の照明を実行する。例えば、前記光目標入力はユーザインターフェース部５１２におけるユーザにより接触された１以上の位置を示すものとすることができる一方、当該コントローラはＬＥＤ照明ユニット５３０のＬＥＤに対するユーザインターフェース部５１２の位置のマッピング情報にアクセスし、当該光発生源領域に対応すると共に当該光目標領域に光出力を供給することができる１以上のＬＥＤを決定することができる。このような決定に基づいて、コントローラは上記１つのＬＥＤに光出力を発生させると共に如何なる他のＬＥＤにも光出力を発生させない制御パラメータを決定することができる。結果として、光発生源領域から生じると共に光目標領域に向けられた光出力５３３を発生することができる。幾つかの実施態様において、コントローラは、光発生源領域に関連する１以上のＬＥＤからの光出力を光目標領域に向けるために、更に及び／又は代わりに、１以上のＬＥＤに関連する光学エレメントが活性化され、駆動され及び／又は変化されるようにする制御パラメータを決定することもできる。
【００７７】
［００８６］図６Ａ及び図６Ｂは、発光構造体６１５から光目標構造体６１７の或る領域の所望の照明を達成するための、モバイル計算装置６０２の第１面上の第１ユーザインターフェース部６１０によるユーザ対話及び該モバイル計算装置６０２の第２面上の第２ユーザインターフェース部６１２によるユーザ対話の他の例を示す。発光構造体６１５は天井であり得る一方、光目標構造体６１７は床であり得る。発光構造体６１５は自身の底面上にＬＥＤ照明ユニットを含むことができ、該ＬＥＤ照明ユニットは光出力を光目標構造体６１７の１以上の部分に向かって供給する。ユーザインターフェース部６１０及びユーザインターフェース部６１２は、共に接触感知性のインターフェース部である。例えば、ユーザインターフェース部６１０はモバイル計算装置６０２の前面上の接触感知性スクリーンとすることができ、ユーザインターフェース部６１２はモバイル計算装置６０２の背面上にある接触感知性カバーとすることができる。
【００７８】
［００８７］図６Ａにおいて、第１の指３Ａはユーザインターフェース部６１０の領域６８１Ａに接触して図示されており、該領域は天井６１５上の光発生源領域６８１Ｂにマッピングされる（図６Ｂ）。図６Ａにおいて、第２の指３Ｂはユーザインターフェース部６１２の領域６８２Ａに接触して図示されており、該領域は床６１７上の領域６８２Ｂにマッピングされる（図６Ｂ）。このように、図６Ａに示された対話は、図６Ｂにおける光発生源領域６８１Ｂから発すると共に領域６８２Ｂに向かって下方に向けられた光出力を生じさせる。図６Ｂにおいて、限界６８３Ｂ及び６８４Ｂは、光発生源領域６８１Ｂらの光を向けることができる最大の位置を表している。言い換えると、光発生源領域６８１Ｂからの光は限界６８３Ｂ及び６８４Ｂを超えて向けることはできない。
【００７９】
［００８８］幾つかの実施態様において、ユーザインターフェース部６１２の限界６８３Ａ及び６８４Ａは、限界６８３Ｂ及び６８４Ｂの各々にマッピングすることができる。このように、第１の指３Ａを領域６８１Ａに維持しながら第２の指３Ｂで限界６８３Ａに接触することは、光発生源領域６８１Ｂからの光が限界６８３Ｂに対して或る角度で向けられるようにする。また、限界６８３Ａと領域６８２Ａとの間の中間に接触することは、光発生源領域６８１Ｂからの光出力が領域６８２Ｂと限界６８３Ｂとの間の中間に或る角度で向けられるようにさせる。同様の限界を、図６Ａ及び図６Ｂに図示されていない他の次元で定義することもできる。幾つかの他の実施態様においては、限界６８３Ｂを示す目標入力を供給するために、限界６８３Ａに向かっての複数のスライドジェスチャ又は他のジェスチャが必要とされ得る。例えば、領域６８２Ａから限界６８３Ａに向かっての指３Ｂによる最初のスライドジェスチャは、当該光目標領域を領域６８２Ｂと限界６８３Ｂとの間の或る位置に変化させることができる（例えば、中間、当該道程の三分の一等）。限界６８３Ａに向かっての（例えば、領域６８２Ａからの）次のスライドジェスチャは、当該光目標領域を領域６８２Ｂから更に遠く、限界６８３Ｂに一層近い位置に変化させることができる（例えば、限界６８３Ｂまでずっと、当該道程の三分の二等）。本開示の利益を受けた当業者は、光発生源領域及び／又は光目標領域を定めるために更なる及び／又は代わりのユーザ開始接触を用いることもできることを認識及び理解するであろう。
【００８０】
［００８９］図７は、発生源構造体７１５のＬＥＤ照明ユニット７０３を介して目標構造体７１７の或る領域の所望の照明７３３を達成するための、モバイル計算装置７０２の第１面上の第１ユーザインターフェース部７１０によるユーザ対話及び目標構造体７１７上の第２ユーザインターフェース部７１２によるユーザ対話の一例を示す。手２の人差し指により、ユーザはユーザインターフェース部７１２と対話して、ＬＥＤ照明ユニット７３０と関連するコントローラに光目標入力を供給する。例えば、ユーザは図３Ａ〜図３Ｃに関連して説明したもののような１以上の対話を用いて、当該コントローラに、光目標構造体７１７における光出力が向けられるべき所望の光目標領域を示す光目標入力を供給することができる。
【００８１】
［００９０］第１ユーザインターフェース部７１０として、モバイル計算装置７０２の接触感知性表示スクリーンが使用される。幾つかの実施態様において、該第１ユーザインターフェース部７１０は、図５Ａ及び図６Ａを参照して説明したのと同様の態様で使用することができる。幾つかの実施態様において、該第１ユーザインターフェース部７１０は、当該光出力発生源として選択することができる特定の光源に関しての一層詳細な情報を供給することができる。例えば、モバイル計算装置７０２は、前記ＬＥＤ照明ユニット７３０のコントローラとネットワーク通信状態にあるものとすることができ（例えば、Wi-Fi又はＮＦＣを介して）、当該光出力発生源として選択することができる特定のＬＥＤの関する情報を受信することができる。例えば、図７に示されるように、ＬＥＤ照明ユニット７３０のＬＥＤに対応するＬＥＤ７１０Ａ及び７１０Ｂのグラフィック図形を提示することができる。ユーザはユーザインターフェース部７１０を介してＬＥＤ７１０Ａ及び７１０Ｂのグラフィック図形の一方又は両方を選択し、ＬＥＤ照明ユニット７３０の対応するＬＥＤを活性化及び／又は非活性化することができる。幾つかの実施態様において、ユーザにはユーザインターフェース部７１０を介して選択のための追加の照明効果パラメータも提示され、ユーザは該追加の照明効果の１以上を実施のために選択することができる。例えば、ユーザにはユーザインターフェース部７１０を介してカラーのオプションが提示され、該ユーザは該ユーザインターフェース部７１０を介して光出力７３３の所望のカラーを選択することができる。幾つかの実施態様において、ユーザには、ユーザインターフェース部７１０を介して、光出力７３３を定めるために用いることができる（ユーザインターフェース部７１０及び／又は７１２を介して）種々のジェスチャを提示することもできる。例えば、ユーザインターフェース部７１０はユーザに対して、所望の目標領域におけるユーザインターフェース部７１２の二重タッピング操作が光出力の種々の利用可能なカラーの間の循環を可能にすることを通知することができる。
【００８２】
［００９１］図２を参照すると、１以上のＬＥＤを制御するために光発生源入力及び光目標入力を使用する例示的方法のフローチャートが図示されている。他の実施例は、これらステップを異なる順序で実行することができ、特定のステップを省略することができ、及び／又は図２に示されたものとは異なるステップ及び／又は追加のステップを実行することができる。便宜上、図２の態様を、当該方法を実行することができる照明システムの１以上の構成要素に関連して説明する。これらの構成要素は、例えば、図１の照明システム１００の構成要素の１以上、及び／又は図３Ａ〜図３Ｃ及び／又は図５〜図７の１以上の構成要素を含むことができる。従って、便宜上、図１、図３Ａ〜図３Ｃ及び／又は図５〜図７の態様を図２との関連で説明する。
【００８３】
［００９２］ステップ２００において、光発生源領域を示す光発生源入力が受信される。例えば、図１を参照すると、第１ユーザインターフェース部１１０はコントローラ１２０と通信状態になることができ、該コントローラ１２０は第１ユーザインターフェース部１１０から光発生源領域を示す入力を受信することができる。例えば、第１ユーザインターフェース部１１０は、接触感知装置の全て又は一部とすることができると共に、該接触感知装置における、ユーザにより接触された及び／又はユーザにより物体が配置された領域を示す入力をコントローラ１２０に供給することができる。
【００８４】
［００９３］ステップ２０５では、上記光発生源入力に基づいて、当該光発生源領域における１以上のＬＥＤが識別される。例えば、図１を参照すると、ＬＥＤ照明ユニット１３０のＬＥＤ１３２に対するユーザインターフェース部１１０のマッピング情報を準備することができ、ステップ２００において受信された光発生源入力に対応する１以上のＬＥＤ１３２が識別される。
【００８５】
［００９４］ステップ２１０においては、光目標領域を示す光目標入力が受信される。例えば、図１を参照すると、第２ユーザインターフェース部１１２はコントローラ１２０と通信状態になることができ、該コントローラ１２０は第２ユーザインターフェース部１１２から光目標領域を示す入力を受信することができる。例えば、該第２ユーザインターフェース部１１０は、接触感知装置の全て又は一部とすることができると共に、該接触感知装置における、ユーザにより接触された及び／又はユーザにより物体が配置された領域を示す入力をコントローラ１２０に供給することができる。
【００８６】
［００９５］ステップ２１５においては、上記光発生源領域における１以上のＬＥＤの１以上の制御パラメータが決定される。これら制御パラメータは、ステップ２１０における入力により示された光目標領域の照明を達成するために決定され、その場合、該照明は、ステップ２０５において当該照明発生源領域にあると識別されたＬＥＤの１以上から実現される。例えば、図１を参照すると、コントローラ１２０はマッピング情報にアクセスして、ステップ２０５において識別された、ステップ２１０で受信された入力により示される光目標領域に光出力を供給する１以上のＬＥＤを決定することができる。例えば、コントローラはステップ２０５で識別されたＬＥＤにおける、これらのＬＥＤのうちのステップ２１０において示される光目標領域に向けられた光出力を供給する１つを決定することができる。このような決定に基づいて、コントローラは、該１つのＬＥＤに光出力を発生させると共に、如何なる他のＬＥＤにも光出力を発生させない制御パラメータを決定することができる。幾つかの実施態様において、該コントローラは、光発生源領域に関連する１以上のＬＥＤからの光出力を光目標領域に向けるために、更に及び／又は代わりに、１以上のＬＥＤに関連する光学エレメントが活性化され、駆動され及び／又は変化されるようにする制御パラメータを決定することもできる。
【００８７】
［００９６］ステップ２２０においては、ステップ２１５において決定された上記１以上の制御パラメータが使用される。例えば、図１を参照すると、ステップ２１０において前記入力により示された当該光目標領域の照明を行うために１以上のＬＥＤ１３２がオン又はオフされ、その場合において、該照明はステップ２０５において識別された当該光発生源領域にあるＬＥＤの１以上から行われる。制御されるＬＥＤと通信状態にある１以上のコントローラ及び／又はドライバは、該制御されるＬＥＤに対して調整を行うことができる。幾つかの実施態様において、上記制御パラメータの実施は、光発生源領域に関連する１以上のＬＥＤからの光出力を光目標領域に向けるために、１以上のＬＥＤに関連する光学エレメントが活性化され、駆動され及び／又は変化されるようにすることもできる。
【００８８】
［００９７］図８は、１以上のＬＥＤを制御するために光発生源入力及び光目標入力を使用する他の例示的方法のフローチャートを示す。他の実施例は、これらステップを異なる順序で実行することができ、特定のステップを省略することができ、及び／又は図８に示されたものとは異なるステップ及び／又は追加のステップを実行することができる。便宜上、図８の態様を、当該方法を実行することができる照明システムの１以上の構成要素に関連して説明する。これらの構成要素は、例えば、図１の照明システム１００の構成要素の１以上、及び／又は図５〜図７の１以上の構成要素を含むことができる。従って、便宜上、図１及び／又は図５〜図７の態様を図８との関連で説明する。
【００８９】
［００９８］ステップ８００において、モバイル計算装置との接続が確立される。例えば、図５Ａ及び図５Ｂを参照すると、モバイル計算装置５０２とＬＥＤ照明ユニット５３０に関連するコントローラとの間で接続を確立することができる。
【００９０】
［００９９］ステップ８０５において、光発生源入力及び光目標入力が受信される。該光発生源入力及び光目標入力のうちの少なくとも一方は、上記モバイル計算装置から受信される。例えば、図５Ａを参照すると、光発生源入力はユーザインターフェース部５１０（モバイル計算装置５０２の）とのユーザ対話を介して受信することができ、光目標入力はユーザインターフェース部５１２（モバイル計算装置５０２の）とのユーザ対話を介して受信することができる。また、例えば、図６Ａを参照すると、光発生源入力はユーザインターフェース部６１０（モバイル計算装置６０２の）とのユーザ対話を介して受信することができ、光目標入力はユーザインターフェース部６１２（モバイル計算装置６０２の）とのユーザ対話を介して受信することができる。また、例えば、図７Ａを参照すると、光発生源入力はユーザインターフェース部７１０（モバイル計算装置７０２の）とのユーザ対話を介して受信することができ、光目標入力はユーザインターフェース部７１２とのユーザ対話を介して受信することができる。
【００９１】
［０１００］ステップ８１０においては、光発生源領域における１以上のＬＥＤの１以上の制御パラメータが、上記光発生源入力及び光目標入力に基づいて決定される。これら制御パラメータは、ステップ８０５において前記入力により示された光目標領域の照明を実現するために決定され、該照明はステップ８０５において前記入力により示された光発生源領域から行われる。
【００９２】
［０１０１］例えば、図５Ａ及び図５Ｂを参照すると、コントローラは前記光発生源入力及び光目標入力を用いて光発生源領域における１以上のＬＥＤの１以上の制御パラメータを決定し、該光発生源領域から光目標領域の照明を行うことができる。例えば、前記光目標入力はユーザインターフェース部５１２におけるユーザにより接触された１以上の位置を示すことができ、コントローラはＬＥＤ照明ユニット５３０のＬＥＤに対するユーザインターフェース部５１２の位置のマッピング情報にアクセスして、上記光発生源領域に対応すると共に上記光目標領域に光出力を供給することができる１以上のＬＥＤを決定することができる。このような決定に基づいて、コントローラは、上記１以上のＬＥＤに光出力を発生させると共に、如何なる他のＬＥＤにも光出力を発生させない制御パラメータを決定することができる。結果として、当該光発生源領域から生じると共に当該光目標領域に向けられた光出力５３３を発生することができる。幾つかの実施態様において、コントローラは、光発生源領域に関連する１以上のＬＥＤからの光出力を光目標領域に向けるために、更に及び／又は代わりに、１以上のＬＥＤに関連する光学エレメントが活性化され、駆動され及び／又は変化されるようにする制御パラメータを決定することもできる。
【００９３】
［０１０２］ステップ８１５においては、ステップ８１０において決定された上記１以上の制御パラメータが使用される。例えば、図５Ａ及び図５Ｂを参照すると、ステップ８０５において前記入力により示された当該光目標領域の照明を行うために１以上のＬＥＤをオン又はオフすることができ、その場合において、該照明はステップ８０５において前記入力により示された当該光発生源領域にあるＬＥＤの１以上から行われる。制御されるＬＥＤと通信状態にある１以上のコントローラ及び／又はドライバは、該制御されるＬＥＤに対して調整を行うことができる。幾つかの実施態様において、上記制御パラメータの実施は、光発生源領域に関連する１以上のＬＥＤからの光出力を光目標領域に向けるために、１以上のＬＥＤに関連する光学エレメントが活性化され、駆動され及び／又は変化されるようにすることもできる。
【００９４】
［０１０３］以上、本発明の幾つかの実施態様を本明細書において説明及び図示したが、当業者であれば、ここに説明した機能を実行し、及び／又はここで述べた結果及び／又は利点の1以上を得るための種々の他の手段及び／又は構成に容易に想到するであろう。このような変更及び／又は修正の各々は、ここに述べた本発明の実施態様の範囲内であると見なされる。もっと一般的に言うと、当業者であれば、ここに述べた全てのパラメータ、寸法、材料及び構成は例示的なものであることを意味し、実際のパラメータ、寸法、材料及び／又は構成は、本発明の教示が用いられる特定の用途に依存するであろうことを容易に理解するであろう。当業者であれば、ここで述べた本発明の特定の実施態様に対する多くの均等物を認識し、又は通例の実験を用いるだけで確認することができるであろう。従って、上述した実施態様は例示としてのみ提示されたものであり、添付請求項及びその均等物の範囲内で、本発明の実施態様は、特定的に説明及び請求項に記載したもの以外で実施することができると理解されるべきである。本開示の発明的実施態様は、ここで述べた各フィーチャ、システム、物品、材料、キット及び／又は方法に向けられたものである。更に、２以上の斯様なフィーチャ、システム、物品、材料、キット及び／又は方法の如何なる組み合わせも、このようなフィーチャ、システム、物品、材料、キット及び／又は方法が相互に矛楯しないならば、本開示の発明の範囲内に含まれるものである。
【００９５】
［０１０４］ここで定められ及び使用された全ての定義は、辞書の定義、参照により組み込まれた文献における定義及び／又は定義された用語の通常の意味を規制すると理解されるべきである。
【００９６】
［０１０５］本明細書及び請求項で使用される単数形は、そうでないと明示しない限り、“少なくとも１つの”を意味すると理解されるべきである。
【００９７】
［０１０６］本明細書及び請求項において使用された“及び／又は”なる語句は、そのように結合されたエレメントの“何れか又は両方”、即ち或る場合には連接的に存在し、他の場合には離接的に存在するエレメントを意味すると理解されるべきである。“及び／又は”で列挙された複数のエレメントは、同様に、即ちそのように結合されたエレメントの“１以上”であると見なされたい。“及び／又は”なる文により固有に識別されたエレメント以外の他のエレメントも、これらの固有に識別されたエレメントに関係するか関係しないかによらず、オプションとして存在することもできる。従って、限定するものではない例として、“有する”なる非制限的文言と一緒に使用される場合、“Ａ及び／又はＢ”なる言及は、一実施態様ではＡのみ（オプションとして、Ｂ以外のエレメントを含む）を、他の実施態様ではＢのみ（オプションとしてＡ以外のエレメントを含む）を、更に他の実施態様ではＡ及びＢの両方（オプションとして他のエレメントを含む）を、指す等となり得る。
【００９８】
［０１０７］本明細書及び請求項で使用される場合、“又は”は上記に定義した“及び／又は”と同じ意味を持つと理解されたい。例えば、リスト内の項目を分ける場合、“又は”又は“及び／又は”は、包含的であると、即ち複数の又は一連のエレメントのうちの少なくとも１つの包含のみならず、２以上及びオプションとして追加の非掲載項目も含むと解釈されるべきである。“のうちの１つのみ”又は“のうちの正確に１つ”のように、そうでないと明確に示された用語のみ、又は請求項で使用される場合の“からなる”は、複数の又は一連のエレメントのうちの正確に１つのエレメントの包含を指す。
【００９９】
［０１０８］本明細書及び請求項で使用される場合、１以上のエレメントのリストを参照する“少なくとも１つの”なる語句は、該エレメントのリストにおけるエレメントの何れか１以上から選択された少なくとも１つのエレメントを意味するものであり、該エレメントのリスト内の各及び全エレメントの少なくとも１つを必ずしも含むものではなく、該エレメントのリスト内のエレメントの如何なる組み合わせをも除くものではないと理解されるべきである。この定義は、上記“少なくとも１つの”なる語句が参照する上記エレメントのリスト内で識別されるエレメント以外のエレメント（上記の識別されたエレメントに関係するか又は関係しないかに拘わらず）がオプションとして存在することも可能にする。このように、限定するものではない例として、“Ａ及びＢの少なくとも１つ”（又は等価的に“Ａ又はＢの少なくとも１つ”若しくは等価的に“Ａ及び／又はＢの少なくとも１つ”）は、一実施態様では、少なくとも１つの（オプションとして２以上を含む）Ａで、Ｂは存在しない（オプションとしてＢ以外のエレメントを含む）場合、他の実施態様では、少なくとも１つの（オプションとして２以上を含む）Ｂで、Ａは存在しない（オプションとしてＡ以外のエレメントを含む）場合、更に他の実施態様では、少なくとも１つの（オプションとして２以上を含む）Ａ及び少なくとも１つの（オプションとして２以上を含む）Ｂ（オプションとして他のエレメントを含む）の場合等を指すことができる。
【０１００】
［０１０９］明確にそうでないと示さない限り、請求項に記載された２以上のステップ又は動作を含む如何なる方法においても、該方法のステップ又は動作の順序は、これらステップ又は動作が記載された順序に必ずしも限定されるものではないと理解されるべきである。
【０１０１】
［０１１０］また、請求項における括弧内の符号は、あるとしても便宜のためにのみ設けられたものであり、当該請求項を如何なる形でも限定するものと見なしてはならない。
【０１０２】
［０１１１］請求項及び上記明細書において、“有する”、“含む”、“担持する”、“持つ”、“収容する”、“伴う”、“保持する”及び“からなる”等の全ての移行句は非制限的であると、即ち含むが限定されるものではないことを意味すると理解されるべきである。“からなる”及び“から本質的になる”なる移行句のみが、各々、制限的又は半制限的移行句である（米国特許庁の特許審査手順マニュアル、第2111.03節に記載されているように）。
【図１】
0006495294.tif 000002
【図２】
0006495294.tif 000003
【図３Ａ】
0006495294.tif 000004
【図３Ｂ】
0006495294.tif 000005
【図３Ｃ】
0006495294.tif 000006
【図４】
0006495294.tif 000007
【図５Ａ】
0006495294.tif 000008
【図５Ｂ】
0006495294.tif 000009
【図６Ａ】
0006495294.tif 000010
【図６Ｂ】
0006495294.tif 000011
【図７】
0006495294.tif 000012
【図８】
0006495294.tif 000013